(57)【要約】【課題】強制排気型ガス調理器において、燃焼排気熱を有効利用することを目的とする。【解決手段】燃焼排気通路について、メインダクト１４２より排気ダクト１４３と温風ダクト１４４とに分岐するように構成する。そして、この燃焼排気分岐部２００に、燃焼排気流路切替ダンパー１００を設ける。  つまり、燃焼排気流路切替ダンパー１００によって、排気ダクト１４３、温風ダクト１４４のいずれかがメインダクト１４２に連通するように構成する。  燃焼排気流路切替ダンパー１００は、機器本体の前面に備えられた図示しない操作パネルのスイッチ操作により作動する。  温風ダクト１４４の下流端は機器本体の正面下部に温風排出口１７を備えており、使用者が操作パネル上で暖房スイッチを押した場合には、温風排出口１７より調理者の足元にむかって、温かい燃焼排気が送風される。【選択図】    図１
2005083589.tif 000002
【特許請求の範囲】
【請求項１】
食材を加熱調理するためのバーナと、
上記加熱後のバーナの燃焼排気を排気通路に吸引する排気吸引手段と、
上記排気通路に吸引された燃焼排気を排出する複数の排気排出口と、
上記排気通路と上記複数の排気排出口のいずれかとを選択的に連通可能とする燃焼排気流路切替手段と
を備えたことを特徴とする調理器。
【請求項２】
上記複数の排気排出口の少なくとも一つを、室内暖房用の温風吹出口としたことを特徴とする請求項１記載の調理器。
【請求項３】
上記温風吹出口は、調理器本体の下方で調理室の床面近傍に向けて開口されていることを特徴とする請求項２記載の調理器。
【請求項４】
上記複数の排気排出口の一つを、食器乾燥機への温風送出口としたことを特徴とする請求項１記載の調理器。
【請求項５】
食材を加熱調理するためのバーナと、
上記加熱後のバーナの燃焼排気を排気通路に吸引する排気吸引手段と、
上記排気通路に連通し、上記燃焼排気を排出する排気排出口と、
器具外部から空気を空気通路に吸引する空気吸引手段と、
上記空気通路に吸引された空気を排出する空気排出口と、
上記排気通路に流れる燃焼排気と上記空気通路に流れる空気との間で熱交換を行う熱交換手段と
を備えたことを特徴とする調理器。
【請求項６】
上記空気排出口を複数備えるとともに、
上記排気通路と上記複数の排気排出口のいずれかとを選択的に連通可能とする燃焼排気流路切替手段を備えたことを特徴とする請求項５記載の調理器。
【請求項７】
上記複数の排気排出口の少なくとも一つを、室内暖房用の温風吹出口としたことを特徴とする請求項５または請求項６記載の調理器。
【請求項８】
上記温風吹出口は、調理器本体の下方で調理室の床面近傍に向けて開口されていることを特徴とする請求項５または請求項６記載の調理器。
【請求項９】
上記複数の排気排出口の一つを、食器乾燥機への温風送出口としたことを特徴とする請求項５または請求項６記載の調理器。
【発明の詳細な説明】
【技術分野】
【０００１】
本発明は、バーナの燃焼排気を強制的に排気する強制排気型調理器に関する。
【背景技術】
【０００２】
一般にガスコンロ等のガス調理器では、コンロ用バーナの上に五徳を介して調理容器等を載置し、バーナの燃焼炎により調理容器を加熱するように構成されている。
しかしながら、上記コンロではコンロ用バーナの燃焼炎および燃焼排気が調理容器の底面を通過して調理空間に排出される（開放型である）ため、通過後の燃焼炎が調理者の被服に引火して燃え上がり、火災や火傷を引き起こすおそれがあった。
また、そのような火災や火傷を引き起こさない場合でも、燃焼排気が調理者の顔面にあたるなど、調理環境が悪化する問題があった。
【０００３】
そこで、最近ではバーナの炎を強制的に吸引し、バーナの炎や燃焼排気が調理用器の周囲から漏れ出すことを防止することにより、衣服の袖口への引火や、調理容器の取手の加熱、調理環境の温度上昇を防止した炎漏出防止型ガスコンロが提案されている。
【０００４】
このような炎漏出防止型コンロとしては、例えば特許文献１に示されるように、バーナの炎を囲うように内外２重構造の筒状の五徳を備えたものがある。
このコンロは、五徳の内周壁に燃焼排気窓を開設するとともに、五徳の２重壁間の空間に連結する燃焼排気通路を設けて、排気通路には燃焼排気を吸引排気する排気ファンを設けている。
このようなコンロでは、筒状の五徳の上に調理容器を搭載することで、五徳中央のバーナとバーナの燃焼空間を、五徳と調理容器底面とで覆うことができるため、調理空間への炎や熱放出を防止することができる。
【特許文献１】特開平９−２５０７５３
【発明の開示】
【発明が解決しようとする課題】
【０００５】
しかしながら上記従来技術においては、強制的に吸引された燃焼排気についてはそのまま器具外部に排出されていた。
つまり、燃焼排気熱のうち調理容器に伝熱しなかった熱については、無駄に捨てられてしまうのである。
しかも、上記のような炎漏出防止機能を有するコンロは、燃焼排気は十分調理容器に接触する前に高温のまま強制吸引されてしまうケースが多く、その場合には無駄に捨てられてしまう熱量はいっそう多かった。
本発明はかかる問題を解決し、燃焼排気熱を有効に利用する炎漏出防止機能を有するコンロを提供することを目的とする。
【課題を解決するための手段】
【０００６】
上記課題を解決する本発明の請求項１記載の調理器は、食材を加熱調理するためのバーナと、
上記加熱後のバーナの燃焼排気を排気通路に吸引する排気吸引手段と、
上記排気通路に吸引された燃焼排気を排出する複数の排気排出口と、
上記排気通路と上記複数の排気排出口のいずれかとを選択的に連通可能とする燃焼排気流路切替手段と
を備えたことを要旨とする。
【０００７】
また、上記課題を解決する本発明の請求項２記載の調理器は、上記請求項１記載の調理器において、上記複数の排気排出口の少なくとも一つを、室内暖房用の温風吹出口としたことを要旨とする。
【０００８】
また、上記課題を解決する本発明の請求項３記載の調理器は、上記請求項２記載の調理器において、上記温風吹出口は、調理器本体の下方で調理室の床面近傍に向けて開口されていることを要旨とする。
【０００９】
また、上記課題を解決する本発明の請求項４記載の調理器は、上記請求項１記載の調理器において、上記複数の排気排出口の一つを、食器乾燥機への温風送出口としたことを要旨とする。
【００１０】
また、上記課題を解決する本発明の請求項５記載の調理器は、食材を加熱調理するためのバーナと、
上記加熱後のバーナの燃焼排気を排気通路に吸引する排気吸引手段と、
上記排気通路に連通し、上記燃焼排気を排出する排気排出口と、
器具外部から空気を空気通路に吸引する空気吸引手段と、
上記空気通路に吸引された空気を排出する空気排出口と、
上記排気通路に流れる燃焼排気と上記空気通路に流れる空気との間で熱交換を行う熱交換手段と
を備えたことを要旨とする。
【００１１】
また、上記課題を解決する本発明の請求項６記載の調理器は、上記請求項５記載の調理器において、上記空気排出口を複数備えるとともに、
上記排気通路と上記複数の排気排出口のいずれかとを選択的に連通可能とする燃焼排気流路切替手段を備えたことを要旨とする。
【００１２】
また、上記課題を解決する本発明の請求項７記載の調理器は、上記請求項５または請求項６記載の調理器において、上記複数の排気排出口の少なくとも一つを、室内暖房用の温風吹出口としたことを要旨とする。
【００１３】
また、上記課題を解決する本発明の請求項８記載の調理器は、上記請求項５または請求項６記載の調理器において、上記温風吹出口は、調理器本体の下方で調理室の床面近傍に向けて開口されていることを要旨とする。
【００１４】
また、上記課題を解決する本発明の請求項９記載の調理器は、上記請求項５または請求項６記載の調理器において、上記複数の排気排出口の一つを、食器乾燥機への温風送出口としたことを要旨とする。
【発明の効果】
【００１５】
上記構成を有する本発明の請求項１記載の調理器は、排気吸引手段がバーナの燃焼排気を排気通路に強制的に吸引する。そして、燃焼排気流路切替手段が、複数の排気排出口のうち使用者の選択した任意の燃焼排気排気口と、排気通路とをそれぞれ連通させる。
従って、使用者の選択した任意の排出口から、燃焼排気が器具外部に排出される。
このように、強制的に吸引した燃焼排気の排出口の位置を、複数の中から使用者が任意に選択することが可能であるため、従来から無駄に排出されていた燃焼排気の排気熱を、所望の場所で利用することが可能である。
【００１６】
また、本発明請求項２記載の調理器は、排気排出口から排出された燃焼排気が、暖房温風として室内を温める。
これにより、燃焼排気は従来の開放型コンロを用いた場合のように調理者の顔面にあたったり、従来の炎漏出防止型コンロを用いた場合のように無駄に排出されることなく、暖房の温風として利用される。つまり、調理環境を悪化させたり無駄に排出していた燃焼排気の熱量を利用して、調理環境を向上させることができる。
しかも、燃焼排気はそのまま暖房温風として利用されるために、熱損失が無い。
【００１７】
また、本発明請求項３記載の調理器は、調理器本体の下方で調理室の床面近傍に向けて開口された排気排出口から、バーナの燃焼排気が排出される。
このため、バーナの燃焼排気は排気排出口より調理者の足下に温風として送風される。
これにより、調理中には自動的に調理者の足元がスポット暖房され、燃焼排気熱はより効率的に利用される。
【００１８】
また、本発明請求項４記載の調理器は、排気排出口から排出されるバーナの燃焼排気が、食器乾燥機に送風される。
従って、調理環境を悪化させたり無駄に排出していた燃焼排気を有効に利用して、食器を加熱乾燥することができる。
しかも、バーナを使用する調理中に食器を加熱乾燥させることができ、調理後には食器は調理物を盛り付けるのに適した温度に温められている。
このように、燃焼排気を効率的に利用することができる。
【００１９】
また、本発明請求項５記載の調理器は、空気吸引手段により器具外部の空気を空気通路に強制的に吸引するとともに、この空気通路に吸引された空気と、排気通路に吸引された燃焼排気との間で熱交換を行う。
従って、加熱された新鮮な空気を、空気排出口から器具外部に排出することができる。
このように、器具外部から取り込んだ空気をバーナの燃焼排気熱を用いて加熱し排出する構造としたために、従来から無駄に排出されていた燃焼排気熱を利用することが可能である。
しかも、加熱された空気は外部から取り込んだ空気であるために、燃焼排気を利用する場合のように、ＣＯ、ＣＯ２、ＳＯｘ、ＮＯｘ等を含まない。そのため、加熱された空気の使用用途は一層広がる。
さらに、空気を吸引する空気吸引手段と燃焼排気を吸引する排気吸引手段とを別々に設けたために、加熱空気を任意の温度または流速で供給することができる。
【００２０】
また、本発明請求項６記載の調理器は、熱交換手段によって温められた外部の空気が、複数の空気排出口のうち使用者の選択した任意の空気排出口へと導かれ、器具外部に排出される。
このように、加熱した空気の排出口の位置を、複数の中から任意に選択することが可能な構造としたために、使用者は温風を所望の位置で利用することが可能である。
【００２１】
また、本発明請求項７記載の調理器は、空気排出口から排出された空気が、暖房温風として室内を温める。
そのため、調理容器の加熱に利用されなかったバーナの燃焼排気熱は暖房として利用される。
しかも、暖房温風として利用される空気は、外部から供給されるクリーンなものであるために、快適に暖房を使用することができる。
【００２２】
また、本発明請求項８記載の調理器は、調理器本体の下方で床面近傍に開口された空気排出口から、加熱後の空気が排出される。
このため、加熱後の空気は空気排出口より調理者の足下に温風として送風される。
従って、調理中には自動的に外部の空気を用いて調理者の足元が暖められ、燃焼排気熱はより効率的に利用される。
しかも、暖房温風として利用される空気は外部から供給されるためにクリーンなものであり、快適に暖房を使用することができる。
【００２３】
また、本発明請求項９記載の調理器は、空気排出口から排出される加熱された外部空気は、食器乾燥機に送風される。
そのために、従来無駄に排出していたバーナの燃焼排気を利用して、簡単に食器を加熱乾燥することができる。
しかも、食器の乾燥のために利用される空気は外部から供給されるために、バーナの燃焼排気を直接食器に吹き付けることを望まない場合にも有効である。
【発明を実施するための最良の形態】
【００２４】
以上説明した本発明の構成、作用を一層明らかにするために、以下、本発明の調理器における好的な実施例について説明する。
【実施例１】
【００２５】
本発明の実施例１の調理器としてのビルトインコンロについて図１を用いて説明する。
ビルトインコンロ１は、キッチンユニットのカウンタートップ２に形成した四角形の上面開口に器具本体を落とし込むことでキッチンカウンター３内に組み込まれる。
ビルトインコンロ１は、調理容器Ｐを載置する複数の爪を有する五徳１０と、調理容器Ｐを下方から加熱するバーナ１１と、バーナ１１の燃焼排気を吸引排気する排気通路１４とを備える。
【００２６】
五徳１０は、鉛直面を形成する五徳爪１０ｂを略放射状に並べたもので、五徳爪１０ｂの上端部１０ａで調理容器Ｐを受けている。
バーナ１１は五徳１０の上端部１０ａより下方に設けられる。このバーナ１１は、燃料ガスと燃焼用一次空気とを混合させる環状の混合室１１ｂを備え、その内周面に多数の炎口１１ａを向い合わせて形成し、この炎口１１ａから中心に向かって混合気を噴出する内炎口バーナである。
【００２７】
排気通路１４は、バーナ１１の周囲に環状に設けられる燃焼排気室１４１ａとダクト部１４１ｂとから構成される。
燃焼排気室１４１ａは、その内側に一般的な大鍋よりも大きな径の円筒空間を形成し、この空間内にバーナ１１、五徳１０を収めるとともに、燃焼空間１６を形成している。燃焼空間１６の下部は開口しており、燃焼用二次空気がバーナ１１へ供給される。
また、燃焼排気室１４１ａは、その内周壁１４ｂに、調理容器側面Ｐｂに対面するように複数の四角形開口（排気吸引口１２）を形成する。
【００２８】
排気吸引口１２は、燃焼排気室１４１の内周壁１４ｂに調理容器側面Ｐｂに対面するように形成され、等間隔に配置されている。排気吸引口１２は、四角形状であり、その上端部は、五徳１０の調理容器載置端部１０ａより高い位置に形成される。
【００２９】
ダクト部１４１ｂは、キッチンカウンター３内に配設され、メインダクト１４２と排気ダクト１４３と温風ダクト１４４とを備える。
メインダクト１４２は、上流において燃焼排気室１４１ａと接続され、下流に吸引排気ファン１５を備える。また、メインダクト１４２は吸引排気ファン１５の下流において排気ダクト１４３と温風ダクト１４４とに分岐され、この燃焼排気分岐部２００には、燃焼排気流路切替ダンパー１００が設けられる。
つまり、燃焼排気流路切替ダンパー１００によって、排気ダクト１４３、温風ダクト１４４のいずれかがメインダクト１４２に連通するように構成されるため、燃焼排気通路は切替可能なのである。
【００３０】
燃焼排気流路切替ダンパー１００は、図示しないモーターに接続され、キッチンカウンター３の前面に備えられた図示しない操作パネルのスイッチ操作により作動するように構成される。
【００３１】
排気ダクト１４３は、下流端に排気口１３を備える。
排気口１３は、カウンタートップ２に開口される。排気口１３の上方には、調理室の壁面に換気扇（図示せず）が設置される。
【００３２】
温風ダクト１４４は下流端に温風排出口１７を備える。
温風排出口１７はキッチンカウンター３の前面下部に形成される。温風排出口１７は四角形状であり、その下端面は床面近傍に形成される。つまり、ビルトインコンロ１を使用している調理者Ｃの足下に向かって開口されている。
【００３３】
上述した構成のビルトインコンロ１では、調理容器Ｐを五徳１０に載置し、バーナ１１を点火して、その火炎および熱気によって、調理容器Ｐの底面および側面下部を加熱する。
この点火動作に伴って吸引排気ファン１５を作動し、燃焼室１６内の燃焼排気を排気吸引口１２から吸引し、排気通路１４へと導く。
【００３４】
そして、燃焼排気分岐部２００において、メインダクト１４２と排気ダクト１４３とが連通した状態にある場合には、バーナ１１の燃焼排気は排気ダクト１４３を経由してカウンタートップ２に形成された排気口１３より排出される。排気口１３より排出された燃焼排気は、換気扇（図示せず）より外部に排出される。
【００３５】
一方、燃焼排気流路切替ダンパー１００によって、メインダクト１４２と温風ダクト１４４とが連通状態になっている場合には、バーナ１１の燃焼排気は温風ダクト１４４を通過後、キッチンカウンター３の前面下部に備えられた温風排出口１７を経由して床面に沿って流れ、調理者Ｃの足下に向かって送風される。
つまり、この場合には本来は屋外に排出されるバーナ１１の燃焼排気が、調理者Ｃの足下を温める部分暖房（スポット暖房）の温風として利用されるのである。
【００３６】
このように、従来の開放型コンロを用いた場合のように調理者の顔面にあたったり、従来の炎漏出防止型コンロを用いた場合のように無駄に排出していた燃焼排気を、調理者Ｃの足元に向かって送風する構成としたために、燃焼排気はスポット暖房の温風として利用され、燃焼排気の有する熱エネルギーを有効に活用することができる。
つまり、本来は調理環境を悪化させたり無駄に排出していた燃焼排気の熱を利用して、調理環境を向上させることができるのである。
【００３７】
またこの場合、調理中に自動的に調理者の足元が暖められる。これにより、燃焼排気熱はより効率的に利用される。
しかも、操作パネル上での操作により、調理容器の加熱に利用されなかった燃焼排気を暖房として利用するか利用せずに排出するかを選択できるために、例えば夏場には燃焼排気を排出し、冬場には燃焼排気を暖房として利用するなど、状況に合わせて最適な使用が可能となる。
【００３８】
また、バーナの燃焼排気を排気吸引口１２より強制的に吸引するため、熱気が調理容器Ｐの上方へ溢れにくくなり、調理容器Ｐの取手Ｐｃが焦げたり衣服に引火して火傷するといった不具合を防止できる。
【実施例２】
【００３９】
次に実施例２のビルトインコンロについて図２を用いて説明する。
尚、実施例１と異なる部分について説明し、重複する部分に関しては同一符号を付してその説明を省略する。
【００４０】
実施例２のビルトインコンロ１ａは、バーナの燃焼排気を食器乾燥用の温風として利用可能にしたものである。
つまり、実施例１のビルトインコンロ１の温風ダクト１４４ａは、下流端に温風排出口１７を備えていたのに対し、実施例２の温風ダクト１４４ａは、下流端に食器乾燥機Ｗに設置可能なフレキシブルチューブＦと接続可能な接続アダプタ３１を備える。
【００４１】
実施例２のビルトインコンロ１ａのメインダクト１４２は、実施例１と同様に排気ダクト１４３と温風ダクト１４４ａとに分岐され、この燃焼排気分岐部２００には、燃焼排気流路切替ダンパー１００が設けられる。
【００４２】
排気ダクト１４３は、実施例１の場合と同様に下流において排気口１３と接続される。そして、排気口１３の上方には、調理室の壁面に換気扇（図示せず）が設置される。
【００４３】
温風ダクト１４４ａは、下流に接続口３１が設けられ、フレキシブルチューブＦにより食器乾燥機Ｗに接続される。
【００４４】
上述した構成のビルトインコンロ３では、調理容器加熱後のバーナ燃焼排気を食器乾燥機に向かって吹き出す構造としたために、無駄に排出されていた燃焼排気の排気熱を利用して食器を加熱乾燥させることができる。
また、調理中に食器を加熱乾燥させることができ、調理後には食器は調理物を盛り付けるのに適した温度に温められている。
このように、燃焼排気の排気熱を効率的に利用することができる。
【実施例３】
【００４５】
次に実施例３のビルトインコンロについて図３を用いて説明する。
尚、実施例１と異なる部分について説明し、重複する部分に関しては同一符号を付してその説明を省略する。
【００４６】
実施例３のビルトインコンロ１ｂは、バーナの燃焼排気と外部より取り込んだ空気との間で熱交換を行い、熱交換後の外部空気を暖房温風として利用可能としたものである。
【００４７】
ビルトインコンロ１ｂは、調理容器Ｐを載置する複数の爪を有する五徳１０と、調理容器Ｐを下方から加熱するバーナ１１と、バーナ１１の燃焼排気を吸引排気する排気通路１１４と、外部から空気を吸引しビルトインコンロ２下部へと案内する給気通路１４６とを備える。
五徳１０およびバーナ１１は実施例１と同様の構成を有する。
【００４８】
排気通路１１４は、キッチンカウンター３内に配設され、バーナ１１の周囲に環状に設けられる燃焼排気室１４１ａと、その下流の排気ダクト部１４７とから構成される。
燃焼排気室１４１ａは、実施例１と同様の形状である。排気ダクト部１４７は、その途中に吸引排気ファン１５を備え、さらにその下流側には熱交換室１４５が設けられるとともに、下流端には排出口１３１を備える。
熱交換室１４５は、メインダクト１４２よりも大きな径で拡大して形成され、後述する給気通路１４６が横断する。
排出口１３１は、カウンタートップ２の調理者Ｃから遠い位置に開口されている。
【００４９】
給気通路１４６はキッチンカウンター３内に配設され、上流から順に、給気部２０と空気ダクト１１６と熱交換部１１９と温風ダクト１１７と温風排出口１７とを備える。
給気部２０はキッチンカウンター３内に組込まれ、内部に給気ファン１８を備えるとともに、キッチンカウンター３の前面または側面に設けられた図示しない給気ギャラリから給気するように構成されている。
熱交換部１１９は複数のフィン１９に伝熱管１１８を貫通させたフィンチューブ式で、伝熱管１１８は排気通路１４の熱交換室１４５を横断するように形成される。
そして温風排出口１７は、キッチンカウンター３の前面下部に開口されている。
【００５０】
上述した構成のビルトインコンロ１ｂでは、調理容器Ｐを五徳１０に載置し、バーナ１１を点火してバーナ１１からの火炎および熱気によって、調理容器Ｐの底面および側面下部を加熱する。
この点火動作に伴って吸引排気ファン１５を作動し、燃焼室１６内の燃焼排気を排気吸引口１２から吸引し、排気通路１１４へと導く。
排気通路１１４に導かれた燃焼排気は、熱交換室１４５を通過し、排出部１３１から排出される。
【００５１】
また、この点火操作の際に、使用者がキッチンカウンター３前面に備えられた図示しない操作パネル上で暖房スイッチをＯＮにすると、給気ファン１８が作動し、空気を図示しない給気ギャラリーより給気通路１４６に吸引する。
給気通路１４６に導かれた空気は、熱交換部１１９を通過する際に排気通路１１４を通過する燃焼排気と熱交換を行う。つまり、熱交換部１１９を通過する際に、空気は排気通路１１４を通過するバーナの燃焼排気から熱を回収し、温められるのである。
温められた空気は、温風排出口１７より調理者Ｃの足下に向かって送風される。
【００５２】
このように、調理容器の加熱に用いられなかった燃焼排気の熱により加熱された外部からの空気を暖房温風として利用したため、第１実施例のように燃焼排気をそのまま用いた場合とは異なり、温風中にはＣＯ、ＣＯ２、ＮＯｘ、ＳＯｘ等を含まない。
そのため、第１実施例の効果に加えて調理環境の空気を汚染しない効果が得られる。
例えば、ガスファンヒーターを用いて暖房を行った場合のように定期的な換気の必要がない。
しかも、空気を吸引する給気ファン１８と燃焼排気を吸引する吸引排気ファン１５とを別々に設けたために、加熱空気を任意の温度または流速で供給することができる。
【実施例４】
【００５３】
次に実施例４のビルトインコンロについて図４を用いて説明する。
尚、実施例３と異なる部分について説明し、重複する部分に関しては同一符号を付してその説明を省略する。
【００５４】
実施例４のビルトインコンロ１ｃは、温風通路部を二股以上に分岐したものである。
実施例４のビルトインコンロ１ｃにおいては、温風ダクト１１７ａは、メイン通路部１１７ｂと、暖房利用通路部１１７ｃと、食器乾燥利用通路１１７ｄとを備える。
メイン通路部１１７ｂは、上流において熱交換部１１９と接続されるとともに、下流において暖房利用通路部１１７ｃと食器乾燥利用通路１１７ｄとに分岐され、この空気分岐部２０１には、空気流路切替ダンパー１０１が設けられる。
【００５５】
燃焼排気流路切替ダンパー１０１は、図示しないモーターに接続され、キッチンカウンター３の前面に備えられた図示しない操作パネルのスイッチ操作により作動するように構成される。
つまり、空気流路切替ダンパー１０１によって、暖房利用通路部１１７ｃ、食器乾燥利用通路１１７ｄのいずれかが、メイン通路部１１７ｂに連通するように、通路が切替可能に構成されているのである。
また、食器乾燥利用通路１１７ｄは、その下流端に接続口３０が設けられ、フレキシブルチューブＦにより食器乾燥機Ｗに接続される。
【００５６】
上述したビルトインコンロ１ｃは、空気分岐部２０１においてメイン通路部１１７ｂと暖房利用通路部１１７ｃとが連通状態となっている場合には、熱交換後の温かい空気はキッチンカウンター３の前面下部に備えられた温風排出口１７から調理者Ｃの足下に向かって吹き出される。
一方、空気分岐部２０１においてメイン通路部１１７ｂと食器乾燥利用通路１１７ｄとが連通状態となっている場合には、熱交換後の温かい空気は食器乾燥機Ｗ内に供給される。
【００５７】
このように、温風を暖房に利用するか食器乾燥に利用するかを使用者が選択できる構成としたために、使用者は状況に応じて様々な使用ができる。
【００５８】
以上、本発明の実施例について説明したが、本発明は、こうした実施形態に何ら限定されるものではなく、本発明の要旨を逸脱しない範囲において種々なる形態で実施しうることはもちろんである。
例えば、燃焼排気熱の利用は、部分暖房か食器乾燥機かのどちらか１つに限定されるものでなく、部分暖房に利用するか、食器乾燥機に利用するか、利用せずに排出するか、使用者により３つのうちどれか１つを選択できるように構成したものとしてもよい。
また、燃焼排気熱の利用は、スポット暖房や食器乾燥機に限定されるものではない。
【産業上の利用可能性】
【００５９】
本発明は、強制排気型ガスコンロや強制排気型ガスオーブン等の種々の強制排気型調理器に適応することができる。
【図面の簡単な説明】
【００６０】
【図１】本発明実施例１のビルトインコンロを示した説明図である。
【図２】本発明実施例２のビルトインコンロを示した説明図である。
【図３】本発明実施例３のビルトインコンロを示した説明図である。
【図４】本発明実施例４のビルトインコンロを示した説明図である。
【符号の説明】
【００６１】
１  ビルトインコンロ
３  キッチンカウンター
Ｃ  調理者
Ｆ  フレキシブルチューブ
Ｐ  調理容器
Ｗ  食器乾燥機
１０  五徳
１１  バーナ
１２  排気吸引口
１３  排気口
１４  排気通路
１５  吸引排気ファン
１６  燃焼空間
１７  温風排出口
１１ａ  バーナ炎口
１４ｂ  排気通路内周壁
１００  燃焼排気流路切替ダンパー
１１６  空気ダクト
１１７  温風ダクト
１１９  熱交換部
１３１  排出口
１４２  メインダクト
１４３  排気ダクト
１４４  温風ダクト
１４５  熱交換室
１４６  給気通路
１４７  排気ダクト部
２００  分岐部
１１７ｂ  メイン通路部
１１７ｃ  暖房利用通路部
１１７ｄ  食器乾燥利用通路
【図１】
2005083589.tif 000003
【図２】
2005083589.tif 000004
【図３】
2005083589.tif 000005
【図４】
2005083589.tif 000006